(57)【特許請求の範囲】
【請求項１】
家畜ふん尿等を発酵・堆肥化処理する発酵槽から発生する臭気を、ロックウールを主原料とした素材内に微生物を固定化したロックウール脱臭材料中に通過させて脱臭し、脱臭された空気を大気中に放出する寒冷地対応の家畜ふん尿堆肥化処理用脱臭装置であって、
前記発酵槽の上方に設けられた臭気捕集ルーフと、該臭気捕集ルーフによって取り出され、パイプを介して送られる臭気を含んだ空気を除塵する除塵装置と、
前記ロックウール脱臭材料が積層された脱臭槽を地下に配置し、該脱臭槽の上部に位置して前記ロックウール脱臭材料上に散水する散水装置を備えると共に、前記脱臭槽を屋根で覆った半地下式の脱臭装置と、
前記除塵装置で除塵した臭気及び空気を送風機により前記脱臭槽の底部に供給する臭気供給管と、
を備え、
前記脱臭槽の上方に形成された屋根裏の空間から前記ロックウール脱臭材料を通過した無臭空気を放出することを特徴とする寒冷地対応の家畜ふん尿堆肥化処理用脱臭装置。
【発明の詳細な説明】
【０００１】
【産業上の利用分野】
本発明は、寒冷地対応の家畜ふん尿堆肥化処理用脱臭装置に関する。
【０００２】
【従来の技術】
畜舎から大量に排出される家畜ふん尿を堆肥化する施設等からは、高濃度のアンモニアを主体とした臭気が発生し、この臭気を何らかの手段により脱臭して大気中に放出する必要があり、その脱臭装置の開発が望まれている。また、温暖地はもとより寒冷地・積雪地域においても脱臭可能とした家畜ふん尿脱臭装置が要望されている。
【０００３】
【発明が解決しようとする課題】
本発明は上記の要望に対処するためになされたもので、寒冷地において良好に稼働している堆肥化装置等から発生する悪臭を脱臭することができ、悪臭苦情がなくなると共に悪臭物質による環境汚染が軽減され、土壌脱臭装置に比べ装置の設置面積が１／４程度に縮小することができる家畜ふん尿脱臭装置を提供することを目的とする。
【０００４】
【課題を解決するための手段】
上記の目的を達成するために、本発明は、家畜ふん尿等を発酵・堆肥化処理する発酵槽から発生する臭気を、ロックウールを主原料とした素材内に微生物を固定化したロックウール脱臭材料中に通過させて脱臭し、脱臭された空気を大気中に放出する寒冷地対応の家畜ふん尿堆肥化処理用脱臭装置であって、前記発酵槽の上方に設けられた臭気捕集ルーフと、該臭気捕集ルーフによって取り出され、パイプを介して送られる臭気を含んだ空気を除塵する除塵装置と、前記ロックウール脱臭材料が積層された脱臭槽を地下に配置し、該脱臭槽の上部に位置して前記ロックウール脱臭材料上に散水する散水装置を備えると共に、前記脱臭槽を屋根で覆った半地下式の脱臭装置と、前記除塵装置で除塵した臭気及び空気を送風機により前記脱臭槽の底部に供給する臭気供給管と、を備え、前記脱臭槽の上方に形成された屋根裏の空間から前記ロックウール脱臭材料を通過した無臭空気を放出することを特徴としている。
【０００７】
【作用】
このような構成によって、本発明の家畜ふん尿脱臭装置は、発酵槽で家畜ふん尿等を撹拌し、堆積して発酵させる際に発生する臭気を含んだ空気を取出して除塵装置で除塵し、除塵した臭気及び空気をロックウールを主原料とした素材内に通過させて脱臭して大気中に放出する。
【０００８】
また、本発明の家畜ふん尿脱臭装置は、ロックウール脱臭材料に脱臭槽の上部に設けた散水装置から常に水分が供給され、微生物に必要な水分が確保されて脱臭性能をムラなく発揮することができ、脱臭槽を屋根で覆い半地下式とすることで、寒冷地・積雪地域における脱臭に寄与する微生物活性の低下を防止することができる。
【０００９】
また、本発明の家畜ふん尿脱臭装置は、脱臭槽の地上部に形成された屋根裏の空間からロックウール脱臭材料を通過した無臭空気を放出し、該空間の外周部には、必要に応じて防風ネットを設けているので、ロックウール脱臭材料の乾燥を防ぎ、脱臭性能を安定化することができる。
【００１０】
【実施例】
以下、本発明の一実施例を添付の図面を参照して具体的に説明する。
図１は堆肥化装置と寒冷地型ロックウール脱臭装置の概要を示す側断面図であり、１は屋根で覆うと共に半地下式としたロックウール脱臭装置、２は堆肥化装置である。堆肥化装置２には家畜ふん尿等の発酵・堆肥化材料を撹拌し、堆積して発酵させる発酵槽２ａが設けられ、発酵槽２ａの底部には送風機３から圧力風が送られている。発酵槽２ａから発生する臭気を含んだ空気からなる悪臭ガスは臭気捕集ルーフ２ｂにより取出してパイプを介して除塵装置４に送られる。除塵装置４で除塵した臭気及び空気は送風機５により臭気供給管８を介してロックウール脱臭装置１の底部に供給される。
【００１１】
ロックウール脱臭装置１の下部には玉石が所定厚さに積まれ、その上にロックウールを主原料とした脱臭材料６が堆積され、脱臭材料６の上部に位置してロックウール脱臭材料が乾燥しないように散水装置７が設けられている。この脱臭材料６中に下方から上方に向け空気及び臭気を通過させて脱臭する。脱臭材料６により脱臭された空気は大気中に無臭空気１０として放出される。この無臭空気１０が放出される屋根裏の空間の外周部には防風ネットが張られている。ロックウール脱臭装置１の底部から排出される水分は排水槽９に貯溜されて排水管１１から排出される。
【００１２】
図２はロックウール脱臭材料による脱臭の原理を示しており、ロックウール脱臭槽（装置）１においては、堆肥化装置２を経て除塵装置４から送風機５により送られてきた悪臭ガスが、ロックウール脱臭材料によって悪臭物質の溶解・吸着１ａされ、アンモニア酸化細菌、硝酸化成菌、脱窒菌などの微生物により無臭物質に分解１ｂし、ＮＯ2 ，ＮＯ3 など１ｃ、Ｎ2 ，ＮＯ１ｄされたのち無臭ガス１０として排出され、また、一部は水に溶解して排水管１１から排出される。
【００１３】
図３は寒冷地型ロックウール脱臭装置の性能を示すグラフであり、低温状態でも安定した性能を示している。
【００１４】
次に、上記家畜ふん尿脱臭装置を用いた作業性能について説明する。
１．ロックウール脱臭装置１の底部に臭気供給管８が埋設されているので、冬期の凍結が防止でき、散水装置７による散水でロックウール脱臭材料を良好な水分に保持できた。
２．水洗式の除塵装置４により悪臭ガスに含まれる粉塵が多い場合のロックウール脱臭材料の目詰まりが防止できた。
【００１５】
３．ロックウール脱臭装置１を半地下としたので、ロックウール脱臭装置１へ送入される悪臭ガスにに含まれるアンモンニアガスに平均濃度２００ｐｐｍ程度、ロックウール脱臭槽を通過する悪臭ガスの見掛風速１８ｍｍ／秒、ロックウール脱臭材料の堆積高さ２．２ｍ程度（自然沈下後）、散水量２０〜３０Ｌ／ｍ2 ・日、送入される悪臭ガスの最低温度５℃以上の条件で寒冷地の冬期間において悪臭ガスを良好に脱臭できた。
４．本装置では、水分６５％の家畜ふんを１日当り約１ｔ堆肥化処理できる装置から発生する悪臭を無臭化できる。
【００１６】
【発明の効果】
以上説明したように、本発明の家畜ふん尿脱臭装置によれば、下記のような効果を奏することができる。
【００１７】
▲１▼．家畜ふん尿等を発酵・堆肥化処理する発酵槽から発生する臭気を含んだ空気を取出して除塵する除塵装置と、除塵した臭気及び空気をロックウールを主原料とした素材内に微生物を固定化したロックウール脱臭材料中に通過させて脱臭する脱臭装置とを備え、脱臭された空気を大気中に放出するようにしたので、発酵層で家畜ふん尿等を撹拌し、堆積して発酵させた際に発生する臭気を含んだ空気を取出して除塵装置で除塵し、除塵した臭気及び空気を、ロックウールを主原料とした素材内に通過させて脱臭して大気中に放出することができる。そして、寒冷地において良好に稼働している堆肥化装置等から発生する悪臭を脱臭することができ、悪臭苦情がなくなると共に悪臭物質による環境汚染が軽減され、土壌脱臭装置に比べ装置の設置面積が１／４程度に縮小することができる。
【００１８】
▲２▼．ロックウール脱臭材料が乾燥しないように、脱臭槽の上部に位置して散水装置を設けたので、ロックウール脱臭材料は脱臭槽の上部に設けた散水装置により常に水分が供給され、ロックウール脱臭材料を良好な水分に保持することができ、脱臭性能を安定させることができる。
【００１９】
▲３▼．脱臭槽を屋根で覆うと共に、半地下式として、寒冷地・積雪地域における脱臭に寄与する微生物活性の低下を防止するようにしたので、寒冷地・積雪地域における脱臭に寄与する微生物活性の低下を防止することができる。
【図面の簡単な説明】
【図１】本発明による堆肥化装置と寒冷地型ロックウール脱臭装置の概要を示す側断面図である。
【図２】本発明によるロックウール脱臭材料による脱臭の原理図である。
【図３】本発明による寒冷地型ロックウール脱臭装置の性能を示すグラフである。
【符号の説明】
１  ロックウール脱臭装置
２  堆肥化装置
３，５  送風機
４  除塵装置
６  ロックウールを主原料とした脱臭材料
７  散水装置
８  臭気供給管
９  排水槽
１０  無臭空気
１１  排水管
【図１】
0003912871.tif 000002
【図２】
0003912871.tif 000003
【図３】
0003912871.tif 000004